(57)【要約】【課題】バッテリと電動機の間の電線が切断された場合に、電動機により駆動される下部走行体の走行機構を適切に停止させることができる走行機構用制御装置の提供。【解決手段】本発明は、バッテリに接続される電動機により駆動される下部走行体の走行機構を備える建設機械において、前記電動機の作動を制御する走行機構用制御装置であって、前記バッテリと前記電動機の間の電線に流れる電流の状態を検出する検出手段と、前記電動機の回転速度を表す情報を検出する回転速度情報検出手段が接続され、前記検出手段の検出結果に基づいて前記電線の切断が検出された場合に、前記電動機を短絡状態に切り替えると共に、前記電動機を短絡状態に切り替えた後、前記回転速度情報検出手段の検出結果に基づいて前記電動機の回転速度が所定値以下となったと判定した場合に、メカニカルブレーキを作動させて前記電動機の回転を停止させることを特徴とする。【選択図】図４
2009284575.tif 000002
【特許請求の範囲】
【請求項１】
バッテリに接続される電動機により駆動される下部走行体の走行機構を備える建設機械において、前記電動機の作動を制御する建設機械の走行機構用制御装置であって、
前記バッテリと前記電動機の間の電線に流れる電流の状態を検出する検出手段と、前記電動機の回転速度を表す情報を検出する回転速度情報検出手段が接続され、
前記検出手段の検出結果に基づいて前記電線の切断が検出された場合に、前記電動機を短絡状態に切り替えると共に、前記電動機を短絡状態に切り替えた後、前記回転速度情報検出手段の検出結果に基づいて前記電動機の回転速度が所定値以下となったと判定した場合に、メカニカルブレーキを作動させて前記電動機の回転を停止させることを特徴とする、制御装置。
【請求項２】
前記電動機は、インバータを介して前記バッテリに接続される３相交流モータであり、
前記電動機の短絡状態は、前記電動機と前記インバータの間の３相配線の少なくとも２相間を短絡させることにより実現される、請求項１に記載の制御装置。
【請求項３】
前記電動機の短絡状態は、前記電動機とインバータの間の３相配線の３相間を短絡させることにより実現される、請求項２に記載の制御装置。
【請求項４】
前記検出手段は、電流センサである、請求項１に記載の制御装置。
【請求項５】
前記電動機は、磁石埋込型三相交流モータである、請求項１乃至４のいずれか一項に記載の制御装置。
【請求項６】
バッテリと、前記バッテリに接続される電動機と、前記電動機により駆動される下部走行体の走行機構とを備える建設機械であって、
前記電動機の作動を制御する制御装置と、
前記バッテリと前記電動機の間の電線に流れる電流の状態を検出する検出手段と、
前記電動機の回転速度を表す情報を検出する回転速度情報検出手段を備え、
前記制御装置は、前記検出手段の検出結果に基づいて前記電線の切断が検出された場合に、前記電動機を短絡状態に切り替えると共に、前記電動機を短絡状態に切り替えた後、前記回転速度情報検出手段の検出結果に基づいて前記電動機の回転速度が所定値以下となったと判定した場合に、メカニカルブレーキを作動させて前記電動機の回転を停止させることを特徴とする、建設機械。
【請求項７】
バッテリに接続される電動機により駆動される下部走行体の走行機構を備える建設機械において、前記電動機の作動を制御する制御方法であって、
前記バッテリと前記電動機の間の電線の切断を検出するステップと、
前記検出ステップにより前記電線の切断が検出された場合に、前記電動機を短絡状態に切り替えるステップと、
前記電動機を短絡状態に切り替えた後、前記電動機の回転速度を監視するステップと、
前記監視ステップの結果に基づいて、前記電動機の回転速度が所定値以下となったと判定した場合に、メカニカルブレーキを作動させて前記電動機の回転を停止させるステップとを備えることを特徴とする、制御方法。
【発明の詳細な説明】
【技術分野】
【０００１】
本発明は、走行機構用制御装置及びこれを用いた建設機械に関する。
【背景技術】
【０００２】
従来より、駆動機構の一部を電動化したハイブリッド型の建設機械が提案されている。このような建設機械では、上部旋回体を旋回させるための旋回機構の動力源として電動機を備え、この電動機の力行運転で旋回機構を加速（駆動）するとともに、旋回機構を減速（制動）する際に回生運転を行い、発電される電力をバッテリに充電している（例えば、特許文献１参照）。
【特許文献１】特開平２００４−０３６３０３号公報
【発明の開示】
【発明が解決しようとする課題】
【０００３】
ところで、電動機により駆動される機構が、下部走行体の走行機構である場合、電動機のフェールに対するフェールセーフ機能を万全にする必要がある。即ち、電動機はバッテリを電源として動作しているので、仮にバッテリと電動機の間の電線が切断された場合には、電動機が作動不能となるが故に、走行機構の動作が制御されない状態に陥る。かかる制御不能状態に対するフェールセーフとして、バッテリと電動機の間の電線が切断された場合にメカニカルブレーキを作動させて走行機構に機械的な制動力を付与することも可能であるが、傾斜地などで建設機械の重力加速度が大きい場合等にはメカニカルブレーキにより走行機構を適切に停止させることができない虞がある。
【０００４】
そこで、本発明は、バッテリと電動機の間の電線が切断された場合に、電動機により駆動される下部走行体の走行機構を適切に停止させることができる走行機構用制御装置及びこれを用いた建設機械等の提供を目的とする。
【課題を解決するための手段】
【０００５】
上記目的を達成するため、本発明の第１の局面によれば、バッテリに接続される電動機により駆動される下部走行体の走行機構を備える建設機械において、前記電動機の作動を制御する建設機械の走行機構用制御装置であって、
前記バッテリと前記電動機の間の電線に流れる電流の状態を検出する検出手段と、前記電動機の回転速度を表す情報を検出する回転速度情報検出手段が接続され、
前記検出手段の検出結果に基づいて前記電線の切断が検出された場合に、前記電動機を短絡状態に切り替えると共に、前記電動機を短絡状態に切り替えた後、前記回転速度情報検出手段の検出結果に基づいて前記電動機の回転速度が所定値以下となったと判定した場合に、メカニカルブレーキを作動させて前記電動機の回転を停止させることを特徴とする、制御装置が提供される。
【０００６】
本発明の第２の局面によれば、バッテリと、前記バッテリに接続される電動機と、前記電動機により駆動される下部走行体の走行機構とを備える建設機械であって、
前記電動機の作動を制御する制御装置と、
前記バッテリと前記電動機の間の電線に流れる電流の状態を検出する検出手段と、
前記電動機の回転速度を表す情報を検出する回転速度情報検出手段を備え、
前記制御装置は、前記検出手段の検出結果に基づいて前記電線の切断が検出された場合に、前記電動機を短絡状態に切り替えると共に、前記電動機を短絡状態に切り替えた後、前記回転速度情報検出手段の検出結果に基づいて前記電動機の回転速度が所定値以下となったと判定した場合に、メカニカルブレーキを作動させて前記電動機の回転を停止させることを特徴とする、建設機械が提供される。
【０００７】
本発明の第３の局面によれば、バッテリに接続される電動機により駆動される下部走行体の走行機構を備える建設機械において、前記電動機の作動を制御する制御方法であって、
前記バッテリと前記電動機の間の電線の切断を検出するステップと、
前記検出ステップにより前記電線の切断が検出された場合に、前記電動機を短絡状態に切り替えるステップと、
前記電動機を短絡状態に切り替えた後、前記電動機の回転速度を監視するステップと、
前記監視ステップの結果に基づいて、前記電動機の回転速度が所定値以下となったと判定した場合に、メカニカルブレーキを作動させて前記電動機の回転を停止させるステップとを備えることを特徴とする、制御方法が提供される。
【発明の効果】
【０００８】
本発明によれば、本発明は、バッテリと電動機の間の電線が切断された場合に、電動機により駆動される下部走行体の走行機構を適切に停止させることができる走行機構用制御装置及びこれを用いた建設機械等が得られる。
【発明を実施するための最良の形態】
【０００９】
以下、図面を参照して、本発明を実施するための最良の形態の説明を行う。
【００１０】
図１は、本実施の形態の制御装置を含む建設機械１００を示す側面図である。
【００１１】
この建設機械１００の下部走行体１には、旋回機構２Ａを介して上部旋回体３が搭載されている。また、上部旋回体３には、ブーム４、アーム５、及びバケット６と、これらを油圧駆動するためのブームシリンダ７、アームシリンダ８、及びバケットシリンダ９に加えて、キャビン１０及び動力源が搭載される。
【００１２】
図２は、本実施の形態の制御装置を含む建設機械１００の構成を表すブロック図である。この図２では、機械的動力系を二重線、高圧油圧ラインを実線、パイロットラインを破線、電気駆動・制御系を一点鎖線でそれぞれ示す。
【００１３】
エンジン１１と、電動発電機１２は、ともに減速機１３の入力軸に接続されている。また、この減速機１３の出力軸には、メインポンプ１４及びパイロットポンプ１５が接続されている。メインポンプ１４には、高圧油圧ライン１６を介してコントロールバルブ１７が接続されている。
【００１４】
コントロールバルブ１７は、本実施の形態の建設機械１００における油圧系の制御を行う制御装置であり、このコントロールバルブ１７には、ブームシリンダ７、アームシリンダ８、及びバケットシリンダ９が高圧油圧ラインを介して接続される。
【００１５】
また、電動発電機１２には、インバータ１８を介してバッテリ１９が接続されており、また、バッテリ１９には、インバータ２０を介して旋回用電動機２１が接続されている。また、バッテリ１９には、インバータ２２０，２４０を介して右走行用発電機２０１Ｂ及び左走行用発電機２０１Ａが接続されている。
【００１６】
旋回用電動機２１の回転軸２１ａには、レゾルバ２２、メカニカルブレーキ２３、及び旋回減速機２４が接続される。右走行用発電機２０１Ｂの回転軸２２１ａには、レゾルバ２２２、メカニカルブレーキ２２３、及び右走行減速機２２４が接続される。左走行用発電機２０１Ａの回転軸２４１ａには、レゾルバ２４２、メカニカルブレーキ２４３、及び左走行減速機２４４が接続される。また、パイロットポンプ１５には、パイロットライン２５を介して操作装置２６が接続される。
【００１７】
操作装置２６には、油圧ライン２７及び２８を介して、コントロールバルブ１７及び圧力センサ２９がそれぞれ接続される。この圧力センサ２９には、本実施の形態の建設機械１００の電気系の駆動制御を行うコントローラ３０が接続されている。
【００１８】
このような本実施の形態の建設機械１００は、エンジン１１、電動発電機１２、及び旋回用電動機２１を動力源とするハイブリッド型の建設機械である。これらの動力源は、図１に示す上部旋回体３に搭載される。以下、各部について説明する。
【００１９】
エンジン１１は、例えば、ディーゼルエンジンで構成される内燃機関であり、その出力軸は減速機１３の一方の入力軸に接続される。このエンジン１１は、建設機械１００の運転中は常時運転される。
【００２０】
電動発電機１２は、力行運転及び回生運転の双方が可能な電動機であればよい。ここでは、電動発電機１２として、インバータ２０によって交流駆動される電動発電機を示す。この電動発電機１２は、例えば、磁石がロータ内部に埋め込まれたＩＰＭ(Interior Permanent Magnetic)モータで構成することができる。電動発電機１２の回転軸は減速機１３の他方の入力軸に接続される。
【００２１】
減速機１３は、２つの入力軸と１つの出力軸を有する。２つの入力軸の各々には、エンジン１１の駆動軸と電動発電機１２の駆動軸が接続される。また、出力軸にはメインポンプ１４の駆動軸が接続される。エンジン１１の負荷が大きい場合には、電動発電機１２が力行運転を行い、電動発電機１２の駆動力が減速機１３の出力軸を経てメインポンプ１４に伝達される。これによりエンジン１１の駆動がアシストされる。一方、エンジン１１の負荷が小さい場合は、エンジン１１の駆動力が減速機１３を経て電動発電機１２に伝達されることにより、電動発電機１２が回生運転による発電を行う。電動発電機１２の力行運転と回生運転の切り替えは、コントローラ３０により、エンジン１１の負荷等に応じて行われる。
【００２２】
メインポンプ１４は、コントロールバルブ１７に供給するための油圧を発生するポンプである。この油圧は、コントロールバルブ１７を介して、ブームシリンダ７、アームシリンダ８、及びバケットシリンダ９の各々を駆動するために供給される。
【００２３】
パイロットポンプ１５は、油圧操作系に必要なパイロット圧を発生するポンプである。この油圧操作系の構成については後述する。
【００２４】
コントロールバルブ１７は、高圧油圧ラインを介して接続されるブームシリンダ７、アームシリンダ８、及びバケットシリンダ９の各々に供給する油圧を運転者の操作入力に応じて制御することにより、これらを油圧駆動制御する油圧制御装置である。
【００２５】
インバータ１８は、上述の如く電動発電機１２とバッテリ１９との間に設けられ、コントローラ３０からの指令に基づき、電動発電機１２の運転制御を行う。これにより、インバータ１８が電動発電機１２の力業を運転制御している際には、必要な電力をバッテリ１９から電動発電機１２に供給する。また、電動発電機１２の回生を運転制御している際には、電動発電機１２により発電された電力をバッテリ１９に充電する。
【００２６】
バッテリ１９は、インバータ１８とインバータ２０との間に配設されている。これにより、電動発電機１２と旋回用電動機２１の少なくともどちらか一方が力行運転を行っている際には、力行運転に必要な電力を供給するとともに、また、少なくともどちらか一方が回生運転を行っている際には、回生運転によって発生した回生電力を電気エネルギーとして蓄積するための電源である。尚、バッテリ１９は、充放電可能なバッテリであれば種類は任意であり、鉛バッテリ、ニッケル水素バッテリ、リチウムイオンバッテリや電気２重層キャパシタ等の容量性負荷から構成されてもよい。
【００２７】
インバータ２０は、上述の如く旋回用電動機２１とバッテリ１９との間に設けられ、コントローラ３０からの指令に基づき、旋回用電動機２１に対して運転制御を行う。これにより、インバータ２０が旋回用電動機２１の力業を運転制御している際には、必要な電力をバッテリ１９から旋回用電動機２１に供給する。また、旋回用電動機２１が回生運転をしている際には、旋回用電動機２１により発電された電力をバッテリ１９へ充電する。
【００２８】
旋回用電動機２１は、力行運転及び回生運転の双方が可能な電動機であり、上述のインバータ２０によってＰＷＭ(Pulse Width Modulation)駆動される。旋回用電動機２１は、好ましくは、磁石がロータ内部に埋め込まれたＩＰＭモータである。旋回用電動機２１は、上部旋回体３の旋回機構２Ａを駆動するために設けられている。力行運転の際には、旋回用電動機２１の回転駆動力の回転力が旋回減速機２４にて増幅され、上部旋回体３が加減速制御され回転運動を行う。また、上部旋回体３の慣性回転により、旋回減速機２４にて回転数が増加されて旋回用電動機２１に伝達され、回生電力を発生させることができる。
【００２９】
レゾルバ２２は、旋回用電動機２１の回転軸２１ａの回転位置及び回転角度を検出するセンサであり、旋回用電動機２１と機械的に連結することで旋回用電動機２１の回転前の回転軸２１ａの回転位置と、左回転又は右回転した後の回転位置との差を検出することにより、回転軸２１ａの回転角度及び回転方向を検出するように構成されている。旋回用電動機２１の回転軸２１ａの回転角度を検出することにより、旋回機構２Ａの回転角度及び回転方向が導出される。
【００３０】
メカニカルブレーキ２３は、機械的な制動力を発生させる制動装置であり、旋回用電動機２１の回転軸２１ａを機械的に停止させる。このメカニカルブレーキ２３は、電磁式スイッチにより制動／解除が切り替えられる。この切り替えは、コントローラ３０によって行われる。
【００３１】
旋回減速機２４は、旋回用電動機２１の回転軸２１ａの回転速度を減速して旋回機構２Ａに機械的に伝達する減速機である。これにより、力行運転の際には、旋回用電動機２１の回転力を増力させ、より大きな回転力として旋回体へ伝達することができる。これとは逆に、回生運転の際には、旋回体で発生した回転数を増加させ、より多くの回転動作を旋回用電動機２１に発生させることができる。
【００３２】
旋回機構２Ａは、旋回用電動機２１のメカニカルブレーキ２３が解除された状態で旋回可能となり、これにより、上部旋回体３が左方向又は右方向に旋回される。
【００３３】
操作装置２６は、旋回用電動機２１、下部走行体１、ブーム４、アーム５、及びバケット６を操作するための操作装置であり、レバー２６Ａ及び２６Ｂとペダル２６Ｃを含む。レバー２６Ａは、旋回用電動機２１及びアーム５を操作するためのレバーであり、上部旋回体３の運転席近傍に設けられる。レバー２６Ｂは、ブーム４及びバケット６を操作するためのレバーであり、運転席近傍に設けられる。また、ペダル２６Ｃは、下部走行体１を操作するための一対のペダルであり、運転席の足下に設けられる。
【００３４】
この操作装置２６は、パイロットライン２５を通じて供給される油圧（１次側の油圧）を運転者の操作量に応じた油圧（２次側の油圧）に変換して出力する。操作装置２６から出力される２次側の油圧は、油圧ライン２７を通じてコントロールバルブ１７に供給されるとともに、圧力センサ２９によって検出される。
【００３５】
レバー２６Ａ及び２６Ｂとペダル２６Ｃの各々が操作されると、油圧ライン２７を通じてコントロールバルブ１７が駆動され、これにより、ブームシリンダ７、アームシリンダ８、及びバケットシリンダ９内の油圧が制御されることによって、ブーム４、アーム５、及びバケット６が駆動される。
【００３６】
圧力センサ２９では、レバー２６Ａ、レバー２６Ｂ、及びペダル２６Ｃの各々の操作による油圧ライン２８内の油圧の変化が別個独立的に圧力センサ２９で検出される。圧力センサ２９は、レバー２６Ａ、レバー２６Ｂ、及びペダル２６Ｃの各々の操作により、旋回用電動機２１、ブーム４、アーム５、バケット６、及び下部走行体１の各々を操作するための油圧の変化を検出し、各々の操作による油圧ライン２８内の油圧を表す電気信号を出力する。これらの電気信号は、コントローラ３０に入力される。
【００３７】
左走行用発電機２０１Ａと右走行用発電機２０１Ｂは、建設機械１００の左右輪に対してそれぞれ設けられる。左走行用発電機２０１Ａに関連する構成と、右走行用発電機２０１Ｂに関連する構成とは、実質的に同一であり、バッテリ１９に対して並列に接続されている。以下では、主に、左走行用発電機２０１Ａに関連する構成を代表として説明し、右走行用発電機２０１Ｂに関連する構成の説明は適宜省略する。
【００３８】
インバータ２４０は、左走行用発電機２０１Ａとバッテリ１９との間に設けられ、コントローラ３０からの指令に基づき、左走行用発電機２０１Ａに対して運転制御を行う。これにより、インバータ２４０が左走行用発電機２０１Ａの力業を運転制御している際には、必要な電力をバッテリ１９から左走行用発電機２０１Ａに供給する。また、左走行用発電機２０１Ａが回生運転をしている際には、左走行用発電機２０１Ａにより発電された電力をバッテリ１９へ充電する。
【００３９】
左走行用発電機２０１Ａは、力行運転及び回生運転の双方が可能な電動機であり、上述のインバータ２４０によってＰＷＭ駆動される。左走行用発電機２０１Ａは、好ましくは、磁石がロータ内部に埋め込まれたＩＰＭモータである。力行運転の際には、左走行用発電機２０１Ａの回転駆動力の回転力が左走行減速機２４４にて増幅され、下部走行体１が加減速制御される。また、下部走行体１の慣性走行により、左走行減速機２４４にて回転数が増加されて左走行用発電機２０１Ａに伝達され、回生電力を発生させることができる。
【００４０】
なお、バッテリ１９の充放電制御は、バッテリ１９の充電状態、電動発電機１２の運転状態（力行運転又は回生運転）、旋回用電動機２１の運転状態（力行運転又は回生運転）、及び、左走行用発電機２０１Ａや右走行用発電機２０１Ｂの運転状態（力行運転又は回生運転）に基づき、コントローラ３０によって行われる。
【００４１】
リレー２４１Ａ及び２４１Ｂは、図３に示すように、インバータ２４０と左走行用発電機２０１Ａとの間の三相配線（Ｕ相、Ｖ相、Ｗ相）に配設される。リレー２４１Ａは、Ｕ相とＶ相の間を結ぶ短絡用電線２４１Ｃ上に配設されており、リレー２４１Ｂは、Ｖ相とＷ相の間を結ぶ短絡用電線２４１Ｄ上に配設されている。短絡用電線２４１Ｃ及び短絡用電線２４１Ｄには、好ましくは、抵抗Ｒ１０，Ｒ２０が設けられる。尚、この抵抗Ｒ１０，Ｒ２０は、ダイナミックブレーキ機構作動時における左走行用発電機２０１Ａの内部抵抗を増加させるのに寄与し、後述のダイナミックブレーキ機構による制動能力を増加させる。従って、抵抗Ｒ１０，Ｒ２０の抵抗値は、ダイナミックブレーキ機構による必要な制動能力に応じて決定されてもよい。
【００４２】
リレー２４１Ａ及び２４１Ｂは、例えば常態が開成であり、コントローラ３０から駆動信号を受けて閉成する。リレー２４１Ａ及び２４１Ｂが閉成されると、左走行用発電機２０１Ａの三相配線が短絡状態となる。左走行用発電機２０１Ａの三相配線が短絡状態であるとき、左走行用発電機２０１Ａのロータ（磁石）が回転すると、コイルに電流が誘起されて回路上の抵抗（左走行用発電機２０１Ａの内部抵抗）で熱エネルギーが生ずる。即ち、左走行用発電機２０１Ａの三相配線が短絡状態であるときに、左走行用発電機２０１Ａのロータ（磁石）が回転すると、左走行用発電機２０１Ａの回転エネルギーが回路上の抵抗で熱エネルギーに変換される。従って、左走行用発電機２０１Ａの三相配線を短絡状態に切り替えることで、左走行用発電機２０１Ａの回転に対して制動力を付与することができる。尚、このときの制動力（制動トルク）は、左走行用発電機２０１Ａの内部抵抗の抵抗値と回転軸２４１ａの回転速度とによって定まる。以下、このようにして左走行用発電機２０１Ａの回転に対して制動力を付与する機構を、「ダイナミックブレーキ機構」とも称する。
【００４３】
レゾルバ２４２は、左走行用発電機２０１Ａの回転軸２４１ａの回転位置及び回転角度を検出するセンサであり、左走行用発電機２０１Ａと機械的に連結することで左走行用発電機２０１Ａの回転前の回転軸２４１ａの回転位置と、左回転又は右回転した後の回転位置との差を検出することにより、回転軸２４１ａの回転角度及び回転方向を検出するように構成されている。
【００４４】
メカニカルブレーキ２４３は、機械的な制動力を発生させる制動装置であり、左走行用発電機２０１Ａの回転軸２４１ａを機械的に停止させる。このメカニカルブレーキ２４３は、電磁式スイッチにより制動／解除が切り替えられる。この切り替えは、コントローラ３０によって行われる。
【００４５】
走行機構２Ｂは、左走行減速機２４４のメカニカルブレーキ２４３が解除された状態で走行可能となり、これにより、下部走行体１が前後方向等に走行される。
【００４６】
左走行減速機２４４は、左走行用発電機２０１Ａの回転軸２４１ａの回転速度を減速して走行機構２Ｂに機械的に伝達する減速機である。これにより、力行運転の際には、左走行用発電機２０１Ａの回転力を増力させ、より大きな推進力として下部走行体１へ伝達することができる。これとは逆に、回生運転の際には、下部走行体１で発生した推進力に基づく回転数を増加させ、より多くの回転動作を左走行用発電機２０１Ａに発生させることができる。
【００４７】
バッテリ１９とインバータ２４０の間には、バッテリ１９とインバータ２４０の間の電線を流れる電流を検出する電流センサ２７２が設けられる。電流センサ２７２は、バッテリ１９とインバータ２４０の間に代えて若しくは加えて、インバータ２４０とリレー２４１Ａ、２４１Ｂの間に設けられてもよい。即ち、電流センサ２７２は、インバータ２４０の入力側及び／又は出力側に設けられてもよい。電流センサ２７２により検出された電流値を表す電気信号は、コントローラ３０に入力される。
【００４８】
コントローラ３０は、ＣＰＵ及び内部メモリを含む演算処理装置で構成される。コントローラ３０は、本実施の形態の制御装置として機能し、本実施の形態の建設機械１００の各種の駆動制御を行う。コントローラ３０は、例えば、圧力センサ２９から出力される電気信号に基づいて、レバー２６Ａの操作量に応じて、インバータ２０を介して旋回用電動機２１を回転駆動させたり、ペダル２６Ｃの操作量に応じて、インバータ２２０及び２４０を介して右走行用発電機２０１Ｂ及び左走行用発電機２０１Ａを回転駆動させたりする。
【００４９】
ところで、上述の如く、左走行用発電機２０１Ａはバッテリ１９を電源として動作しているので、仮にバッテリ１９と左走行用発電機２０１Ａの間の電線が切断されると、走行機構２Ｂが制御不能な状態に陥る。かかる制御不能状態に対するフェールセーフとして、バッテリ１９と左走行用発電機２０１Ａの間の電線が切断された場合に、メカニカルブレーキ２４３を作動させて左走行用発電機２０１Ａの回転軸２４１ａの回転に機械的な制動力を付与することも可能であるが、上部旋回体３の旋回動作の慣性が大きい場合等にはメカニカルブレーキ２４３により左走行用発電機２０１Ａの回転軸２４１ａの回転を適切に停止させることができない虞がある。
【００５０】
そこで、実施の形態のコントローラ３０は、以下で詳説するように、バッテリ１９と左走行用発電機２０１Ａの間の電線が切断された場合に、左走行用発電機２０１Ａにより駆動される走行機構２Ｂを適切に停止させるフェールセーフ機能を実現する。
【００５１】
図４は、実施の形態のコントローラ３０により実現されるフェールセーフ機能用の主要処理の一例を示すフローチャートである。図４に示す処理ルーチンは、例えば左走行用発電機２０１Ａの作動中に所定周期毎に繰り返し実行される。尚、図４に示す処理ルーチンは、左走行用発電機２０１Ａに関するものであるが、右走行用発電機２０１Ｂに関しても同様であってよい。
【００５２】
ステップ７００では、電流センサ２７２からの電気信号に基づいて、バッテリ１９と左走行用発電機２０１Ａの間の電線が切断されたか否かを判定する。バッテリ１９と左走行用発電機２０１Ａの間の電線が切断されると、当該電線を流れる電流はゼロとなる。従って、例えばバッテリ１９と左走行用発電機２０１Ａの間の電線を流れる電流が、突然ゼロに変化した場合に、バッテリ１９と左走行用発電機２０１Ａの間の電線が切断されたと判定されることとしてもよい。バッテリ１９と左走行用発電機２０１Ａの間の電線が切断されたと判定された場合には、ステップ７０２に進み、それ以外の場合には、今回周期の処理はそのまま終了する。
【００５３】
ステップ７０２では、リレー２４１Ａ及び２４１Ｂに駆動信号を送信してリレー２４１Ａ及び２４１Ｂを閉成し、ダイナミックブレーキ機構を働かせる。これにより、左走行用発電機２０１Ａの内部抵抗の抵抗値と左走行用発電機２０１Ａの回転軸２４１ａの回転速度とによって定まる制動トルクが生じる。
【００５４】
ステップ７０４では、レゾルバ２４２からの信号に基づいて、左走行用発電機２０１Ａの回転軸２４１ａの回転速度を算出し（回転角度を微分演算し）、左走行用発電機２０１Ａの回転軸２４１ａの回転速度の絶対値が所定値以下であるか否かを判定する。この所定値は、メカニカルブレーキ２４３により左走行用発電機２０１Ａの回転軸２４１ａを停止させることができる回転速度の最大値（若しくはそれよりも僅かに小さい値）に対応してよい。左走行用発電機２０１Ａの回転軸２４１ａの回転速度の絶対値が所定値よりも大きい場合には、ダイナミックブレーキ機構を引き続き作動させる必要があるため、ステップ７０２に戻る。他方、左走行用発電機２０１Ａの回転軸２４１ａの回転速度の絶対値が所定値以下である場合には、ステップ７０６に進む。
【００５５】
ステップ７０６では、メカニカルブレーキ２４３を作動させて左走行用発電機２０１Ａの回転軸２４１ａの回転を機械的に停止させる。
【００５６】
このように図４に示す処理によれば、左走行用発電機２０１Ａの作動中にバッテリ１９と左走行用発電機２０１Ａの間の電線が切断された場合でも、ダイナミックブレーキ機構を働かせることで、回転中の左走行用発電機２０１Ａの回転軸２４１ａの回転速度を、メカニカルブレーキ２４３が機能する回転速度領域まで低下させることができる。これにより、バッテリ１９と左走行用発電機２０１Ａの間の電線が切断されるというフェールに適切に対処することができる。尚、上記ステップ７０２の処理時若しくはステップ７０６の処理時に、警告を出力して、ユーザに電線の断線に対する点検ないし整備を行うように促してもよい。
【００５７】
以上、本発明の好ましい実施例について詳説したが、本発明は、上述した実施例に制限されることはなく、本発明の範囲を逸脱することなく、上述した実施例に種々の変形及び置換を加えることができる。
【００５８】
例えば、上述の実施の形態においては、リレー２４１Ａ及び２４１Ｂを閉成することで、ダイナミックブレーキ機構を働かせていたが、インバータ２４０のスイッチング素子を用いてダイナミックブレーキ機構を働かせることも可能である。例えば、図５は、実施の形態の建設機械１００の左走行用発電機２０１Ａを駆動制御するためのインバータ２４０の構成を示す図である。インバータ２４０は、左走行用発電機２０１Ａを三相駆動するために６つのトランジスタＴ１〜Ｔ６を含むブリッジ回路を有する。この場合、実施の形態で説明したリレー２４１Ａ及び２４１Ｂを廃止し、その代わりに、インバータ２４０内のトランジスタの駆動状態によって左走行用発電機２０１Ａを短絡状態にする。即ち、コントローラ３０は、トランジスタＴ１、Ｔ２及びＴ３を同時にオンにすることによって左走行用発電機２０１Ａの三相配線を短絡させる。尚、右走行用発電機２０１Ｂに関しても同様であってよい。
【００５９】
また、上述の実施の形態においては、左走行用発電機２０１Ａがインバータ２４０によってＰＷＭ駆動される交流モータであったが、左走行用発電機２０１Ａは直流モータであってもよい。このように左走行用発電機２０１Ａとして直流モータを用いる場合は、直流モータに電力を供給する２本の電力供給線を短絡させるためのリレーを１つ設ければよい。このリレーを閉成すれば、直流モータの短絡制動によって回転軸に制動トルクが生じるため、交流モータの場合と同様にダイナミックブレーキ機能を実現することができる。なお、左走行用発電機２０１Ａとして直流モータを用いる場合は、インバータ２４０及びレゾルバ２４２が不要となり、回転速度としては直流モータのタコジェネレータで検出される値を用いればよい。尚、右走行用発電機２０１Ｂに関しても同様であってよい。
【００６０】
また、上述の実施の形態においては、好ましい実施例として、ダイナミックブレーキ機構の制動性能を高めるべく、リレー２４１Ａ及び２４１Ｂを閉成することで、３相間を短絡させているが、リレー２４１Ａ及び２４１Ｂのいずれか一方だけを閉成することで、２相間を短絡させてもよい。
【００６１】
また、上述の実施の形態においては、リレー２４１Ａ及び２４１Ｂは、常態が開成であり、コントローラ３０から駆動信号を受けて閉成するものであったが、リレー２４１Ａ及び２４１Ｂは、常態が閉成であり、コントローラ３０から駆動信号を受けて開成するものであってもよい。この場合、コントローラ３０は、通常時は、リレー２４１Ａ及び２４１Ｂに常時駆動信号を送信して、リレー２４１Ａ及び２４１Ｂを開成させ、上述の如くバッテリ１９と左走行用発電機２０１Ａの間の電線が切断されたと判定された場合に、リレー２４１Ａ及び２４１Ｂへの駆動信号の供給を停止して、ダイナミックブレーキ機構を作動させてもよい。このような構成は、コントローラ３０とリレー２４１Ａ及び２４１Ｂの間の信号線が切断した場合に、ダイナミックブレーキ機構が作動するので、フェールセーフの観点から有利である。
【００６２】
また、上述の実施の形態において、上述の如く左走行用発電機２０１Ａへの電力供給の遮断に起因してダイナミックブレーキ機構を作動させた場合に、所定時間経過後に、左走行用発電機２０１Ａの回転軸２４１ａの回転速度がメカニカルブレーキ２４３の機能する回転速度領域まで低下したと判断して（看做して）、メカニカルブレーキ２４３を作動させることとしてもよい。かかる構成によれば、レゾルバ２４２とコントローラ３０の間の信号線が切断されたフェール時にも適切な段階でメカニカルブレーキ２４３を作動させることができる。
【図面の簡単な説明】
【００６３】
【図１】本実施の形態の制御装置を含む建設機械１００を示す側面図である。
【図２】実施の形態の建設機械１００の構成を表すブロック図である。
【図３】実施の形態の建設機械１００における左走行用発電機２０１Ａに取り付けられるリレーを示す図である。
【図４】実施の形態のコントローラ３０により実現されるフェールセーフ機能用の主要処理の一例を示すフローチャートである。
【図５】実施の形態の建設機械１００の左走行用発電機２０１Ａを駆動制御するためのインバータ２４０の構成を示す図である。
【符号の説明】
【００６４】
１  下部走行体
２Ａ  旋回機構
２Ｂ  走行機構
３  上部旋回体
４  ブーム
５  アーム
６  バケット
７  ブームシリンダ
８  アームシリンダ
９  バケットシリンダ
１０  キャビン
１１  エンジン
１２  電動発電機
１３  減速機
１４  メインポンプ
１５  パイロットポンプ
１６  高圧油圧ライン
１７  コントロールバルブ
１８  インバータ
１９  バッテリ
２０，２２０，２４０  インバータ
２４１Ａ、２４１Ｂは  リレー
２１  旋回用電動機
２２  レゾルバ
２３，２２３，２４３  メカニカルブレーキ
２４  旋回減速機
２５  パイロットライン
２６  操作装置
２６Ａ、２６Ｂ  レバー
２６Ｃ  ペダル
２７  油圧ライン
２８  油圧ライン
２９  圧力センサ
３０  コントローラ
２７０，２７２  電流センサ
１００  建設機械
２０１Ａ    左走行用発電機
２０１Ｂ    右走行用発電機
【図１】
2009284575.tif 000003
【図２】
2009284575.tif 000004
【図３】
2009284575.tif 000005
【図４】
2009284575.tif 000006
【図５】
2009284575.tif 000007